(57)【特許請求の範囲】
【請求項１】
ガラス体を用いたガラス天板に設けた開口に臨む複数のコンロバーナと、前記コンロバーナの下方に位置しグリルバーナを内蔵すると共に前記天板と同一面に配置した排気口に連通するグリル部と、前記排気口と並設し器具内の換気を行う換気口と、前記排気口と換気口を一体的に構成すると共に前記コンロバーナの開口を有する排気蓋と、前記各バーナへのガスの供給と遮断を行うと共に弁駆動手段を介してガス流量を制御するガス流量制御装置と、前記ガス流量制御装置に駆動信号を供給する制御手段と、前記制御手段に所定の操作信号を入力指示する操作部及び前記コンロ本体の作動状態を表示する表示部を前記ガラス天板上に備えたガス調理器であって、前記ガラス天板は、その下方に設け外周を略コの字状に成形した金属枠を有する天板保護部材で３辺が支持されると共に、残り１辺が前記排気蓋で端面を覆うように支持され、前記ガラス天板に少なくとも１つ以上のコンロバーナを配置し、前記排気蓋に１つのコンロバーナを配置した構成とし、前記ガラス天板の手前側端部に操作部と表示部を配置したガス調理器。
【請求項２】
排気蓋を天板保護部材に締結することでガラス天板を挟み込むように支持した請求項１記載のガス調理器。
【請求項３】
排気蓋に設けたコンロバーナ設置用の開口周囲に段押し部を設け、五徳受け部を構成した請求項１または２記載のガス調理器。
【請求項４】
排気蓋に配置したコンロバーナは、その一部が排気口と換気口の間に挟まれるような位置に配設した請求項１〜３のいずれか１項記載のガス調理器。
【請求項５】
排気口と換気口には、その開口を覆うように着脱自在な排気口カバー及び換気口カバーをそれぞれ載置した請求項１〜４のいずれか１項記載のガス調理器。
【請求項６】
ガラス天板の裏面側に静電スイッチで構成した操作部を配置するとともに、前記操作部を覆い液晶ユニットで構成した表示部を収納する表示ケースを配置した請求項１〜５のいずれか１項記載のガス調理器。
【請求項７】
表示部は、複数のコンロバーナにそれぞれ対応して運転状態を表示する第１の表示器と、前記複数のコンロバーナの全てに対応して状態表示を行う第２の表示器で構成された請求項１〜６のいずれか１項記載のガス調理器。
【発明の詳細な説明】
【技術分野】
【０００１】
本発明は、一般家庭で使用するガス調理器に関し、特に、コンロバーナの配設構成に係るものである。
【背景技術】
【０００２】
従来のガス調理器は、一般に加熱手段となるバーナを天板上面に複数個配置するとともに、下方にグリル室を設けて該グリル室からの排気を前記天板上面に配置したバーナの後方に設けた排気口より排出するように構成され、前記バーナの点火−消火（以下ＯＮ−ＯＦＦという）および火力調節は、器具本体であるコンロ本体の略垂直な前側面に設けた操作部で行っている。
【０００３】
しかし、近年、操作性を改善する目的で操作部をコンロ本体の天板上面に設けたものが考案されている。この操作部をコンロ本体の天板上に設けたものにあっては、特許文献１に示すように、システムキッチンのカウンタートップに開設された開口部の周縁に加熱手段を設けたコンロ器体を吊持させ、該コンロ器体を覆う天板をカウンタートップに載置したビルトインコンロにおいて、該天板の左右方向一側がコンロ器体の左右方向位置から横方向に張り出すように天板の横幅をコンロ器体より幅広に形成し、該張り出した部分にコンロ器体に設けた加熱手段の作動を操作する操作部を設けるように構成したものがあるが、この構成においても、奥行き方向は複数のバーナ設置領域と排気部設置領域を明確に区画して配置するものであった。（例えば、特許文献１参照）
【特許文献１】特開２００２−８９８５４号公報
【発明の開示】
【発明が解決しようとする課題】
【０００４】
しかしながら、上記従来の前者の構成では、コンロ本体の前側面の操作部でバーナのＯＮ−ＯＦＦおよび火力調節を行う場合、バーナ及び排気部の配置構成は、天板全面を利用して行うことができるため、余裕を持ってバーナ設置場所を確保することができるが、反面、その操作部が通常、腰の高さにあり、身体を折り曲げる、または屈み込む等の不自然な姿勢を強いられ、操作がし難いのと操作の結果を見て確認する視認性が悪かった。
【０００５】
また、操作部をコンロ本体の天板上に設けた上記従来の後者の構成では、操作性及び視認性の改善は図れるものの、操作部の配設位置として、天板の左右方向一側がコンロ器体の左右方向位置から横方向に張り出すように天板の横幅をコンロ器体より幅広に形成し、該張り出した部分に配設するようにしているため、システムキッチンのカウンタートップにおけるコンロ本体の天板面が拡大した状態で占有することになり、調理スペースが狭くなるという課題を有し、また、操作部が横方向にあるため、大きな鍋を載置して調理しているときに操作を行う場合などはかえって操作性が悪くなるという課題を有していた。
【０００６】
さらに、買い替えて交換する場合など、天板の大きさが従来品と異なることになり、横方向に設置スペースが確保できない場合は買い換え交換ができないという課題も有していた。
【０００７】
本発明は上記従来の課題を解決するもので、楽な姿勢で操作を行え、かつ視認性のよい操作部、表示部を備えるとともに、天板を大きくすることなく、操作部、表示部及び加熱手段を配置し、使い勝手と安全性を両立させたガス調理器を提供することにある。
【課題を解決するための手段】
【０００８】
前記課題を解決するために、本発明のガス調理器は、ガラス体を用いたガラス天板に設けた開口に臨む複数のコンロバーナと、前記コンロバーナの下方に位置しグリルバーナを内蔵すると共に前記天板と同一面に配置した排気口に連通するグリル部と、前記排気口と並設し器具内の換気を行う換気口と、前記排気口と換気口を一体的に構成すると共に前記コンロバーナの開口を有する排気蓋と、前記各バーナへのガスの供給と遮断を行うと共に弁駆動手段を介してガス流量を制御するガス流量制御装置と、前記ガス流量制御装置に駆動信号を供給する制御手段と、前記制御手段に所定の操作信号を入力指示する操作部及び前記コンロ本体の作動状態を表示する表示部を前記ガラス天板上に備えたガス調理器であって、前記ガラス天板は、その下方に設け外周を略コの字状に成形した金属枠を有する天板保護部材で３辺が支持されると共に、残り１辺が前記排気蓋で端面を覆うように支持され、前記ガラス天板に少なくとも１つ以上のコンロバーナを配置し、前記排気蓋に１つのコンロバーナを配置した構成とし、前記ガラス天板の手前側端部に操作部と表示部を配置したものである。
【０００９】
上記発明によれば、バーナへのガスの供給と遮断を行うガス流量制御装置を電気信号で駆動する弁駆動手段を用いて構成することで、操作信号を入力する操作部や表示部は前記ガス流量制御装置やその制御手段の設置位置に左右されることなく独立して自由な位置に設置することができ、バーナの火炎による熱的影響、操作性、視認性等を考慮し、天板上の温度的に設置可能なバーナの熱影響が少ない天板の上面手前側に配置することが可能になり、操作性、視認性を向上することができる。また、器具上面の手前側に操作部、表示部及びコンロバーナの一部を配置するガラス天板を設け、その後方側に排気口及び換気口を設けた排気蓋を配置し、その排気蓋にコンロバーナを装着する開口を設け、排気口と換気口に挟まれるように１つのコンロバーナを設ける構成としているため、複数のバーナの設置領域を全体的に後方側に移動させることができ、天板の大きさを変えることなく、ガラス天板の手前側に操作部や表示部を配設するスペースを確保することができる。
【発明の効果】
【００１０】
本発明のガス調理器は、ガス流量制御装置およびその制御手段の設置位置とは無関係に自由に操作部を配置することができ、操作部を天板上面の使用者に近い手前側に配置することで、操作性と視認性の向上が図れるとともに、天板の大きさを変えることなく、複数のコンロバーナとグリルバーナを装着したガス調理器を提供することができる。
【発明を実施するための最良の形態】
【００１１】
第１の発明は、ガラス体を用いたガラス天板に設けた開口に臨む複数のコンロバーナと、前記コンロバーナの下方に位置しグリルバーナを内蔵すると共に前記天板と同一面に配置した排気口に連通するグリル部と、前記排気口と並設し器具内の換気を行う換気口と、前記排気口と換気口を一体的に構成すると共に前記コンロバーナの開口を有する排気蓋と、前記各バーナへのガスの供給と遮断を行うと共に弁駆動手段を介してガス流量を制御するガス流量制御装置と、前記ガス流量制御装置に駆動信号を供給する制御手段と、前記制御手段に所定の操作信号を入力指示する操作部及び前記コンロ本体の作動状態を表示する表示部を前記ガラス天板上に備えたガス調理器であって、前記ガラス天板は、その下方に設け外周を略コの字状に成形した金属枠を有する天板保護部材で３辺が支持されると共に、残り１辺が前記排気蓋で端面を覆うように支持され、前記ガラス天板に少なくとも１つ以上のコンロバーナを配置し、前記排気蓋に１つのコンロバーナを配置した構成とし、前記ガラス天板の手前側端部に操作部と表示部を配置したことを特徴とするものである。
【００１２】
そして、バーナへのガスの供給と遮断を行うガス流量制御装置を電気信号で駆動する弁駆動手段を用いて構成することで、操作信号を入力する操作部や表示部は前記ガス流量制御装置やその制御手段の設置位置に左右されることなく独立して自由な位置に設置することができ、バーナの火炎による熱的影響、操作性、視認性等を考慮し、天板上の温度的に
設置可能なバーナの熱影響が少ない天板の上面手前側に配置することが可能になり、操作性、視認性を向上することができる。また、器具上面の手前側に操作部、表示部及びコンロバーナの一部を配置するガラス天板を設け、その後方側に排気口及び換気口を設けた排気蓋を配置し、その排気蓋にコンロバーナを装着する開口を設け、排気口と換気口に挟まれるように１つのコンロバーナを設ける構成としているため、複数のバーナの設置領域を全体的に後方側に移動させることができ、天板の大きさを変えることなく、ガラス天板の手前側に操作部や表示部を配設するスペースを確保することができる。
【００１３】
第２の発明は、排気蓋を天板保護部材に締結することでガラス天板を挟み込むように支持したことを特徴とするものである。
【００１４】
そして、排気蓋の固定を兼ねてガラス天板を挟み込んで支持することができるため、ガラス天板の端面補強を確保しつつ、デザイン性を高めるための構成の簡素化を図ることができる。
【００１５】
第３の発明は、排気蓋に設けたコンロバーナ設置用の開口周囲に段押し部を設け、五徳受け部を構成したことを特徴とするものである。
【００１６】
そして、排気蓋に段押し加工を追加するだけで五徳受け部を構成することができ、別部材を用いる必要がないため、構成の簡素化を図ることができる。
【００１７】
第４の発明は、排気蓋に配置したコンロバーナは、その一部が排気口と換気口の間に挟まれるような位置に配設したことを特徴とするものである。
【００１８】
そして、排気口と換気口の設置領域にコンロバーナの一部が配置されるように構成しているため、器具上面におけるバーナの設置領域を全体的に後方に移動させることができ、天板の大きさを変えることなく、ガラス天板の手前側に操作部や表示部を配設するスペースを確保することができる。
【００１９】
第５の発明は、排気口と換気口には、その開口を覆うように着脱自在な排気口カバー及び換気口カバーをそれぞれ載置したことを特徴とするものである。
【００２０】
そして、異物の侵入を防止し、グリル部からの排気ガスを均一に排出することができる。
【００２１】
第６の発明は、ガラス天板の裏面側に静電スイッチで構成した操作部を配置するとともに、前記操作部を覆い液晶ユニットで構成した表示部を収納する表示ケースを配置したことを特徴とするものである。
【００２２】
そして、静電スイッチを用いることによりガラス天板上面に操作つまみ等が張り出すことがなく、操作部を含む天板全面をガラス体で覆うことができるため、操作性、デザイン性及び掃除性を飛躍的に向上することができるとともに、表示ケースに収納することでバーナからの熱的影響を軽減することができる。
【００２３】
第７の発明は、表示部は複数のコンロバーナにそれぞれ対応して運転状態を表示する第１の表示器と、前記複数のコンロバーナの全てに対応して状態表示を行う第２の表示器で構成されたことを特徴とするものである。
【００２４】
そして、それぞれのコンロバーナに対応した第１の表示器を設けると共に、どのコンロバーナが運転しても表示動作を開始する第２の表示器を設けているため、コンロバーナが
燃焼を開始しバーナ設置領域が高温状態になったとき、その状態を表示することが可能となり、使用者への注意喚起を確実に促すことができる。
【００２５】
以下、本発明の実施の形態について、図面を参照して説明を行う。なお、本実施の形態によって本発明が限定されるものではない。
【００２６】
（実施の形態1）
図１は本発明の実施の形態におけるガス調理器の使用形態を示す図、図２は同ガス調理器の断面図、図３は同ガス調理器の操作表示部及びバーナ配設構成を示す上面図、図４は同ガス調理器の天板部を構成する分解図である。
【００２７】
図において、本実施の形態におけるガス調理器１は流し台のカウンタートップ２に嵌めこまれ、上面側にはガラス体で構成された天板３に設けられた開口３ａ，３ｂに臨むように複数のバーナ４ａ，４ｂが配設されている。また、バーナ４ａ，４ｂの下方にはグリル部５が設けられ、前面側に設けられたグリル扉５ａを開閉することで焼き物等の調理ができるようになっている。このグリル扉５ａと同一面にはグリル部５のバーナ（図示せず）の燃焼動作を指示する操作部６が設けられ、この操作部６内には器具の運転／停止を指示する運転スイッチ７が配設されている。
【００２８】
また、グリル部５の燃焼動作により発生した燃焼ガスは、排気通路（図示せず）を経由して器具１上面の後方側に設けられた排気口１０より排出される。この排気口１０にはスリット状の開口を複数設け排気ガスを均一に排出するための排気口カバー１１が載置されている。さらに、器具１上面には排気口１０に並設して器具１内の換気を行うための換気口１２が設けられ、この上部には異物侵入防止のために換気口カバー１２が載置されている。
【００２９】
そして、排気口１０と換気口１２は、板金で成形された排気蓋１４で一体的に構成されており、ガラス天板３の後方端面を覆うように器具１上面の後方に配置されている。
【００３０】
また、排気蓋１４には、略中間部に排気口１０と換気口１２に挟まれるようにコンロバーナ４ｃを装着するための開口１５が設けられ、この開口１５の周囲には五徳１６を載置するための段押し部１７が設けられている。この開口１５にコンロバーナ４ｃを設置し、段押し部１７に五徳１６を載置して３つ目のコンロ部を構成している。また、段押し部１７は排気蓋１４の強度を高める作用も有している。
【００３１】
このように、ガラス天板３上の左右に２つのコンロバーナ４ａ，４ｂを配置し、その上部に五徳１６を載置して大カロリー用のコンロ部を構成すると共に、その略中間部の後方側にガラス天板３の設置領域と排気口１０の設置領域１４ａを跨ぐようにコンロバーナ４ａ，４ｂよりも小カロリーのコンロバーナ４ｃを配置し、その上部に五徳１６を載置して小カロリー用のコンロ部を構成している。
【００３２】
また、ガラス天板３の手前側には、それぞれのバーナ４ａ，４ｂ，４ｃに対応して、操作部８ａ，８ｂ，８ｃと表示器９ａ，９ｂ，９ｃが設けられており、操作部８は天板３を構成するガラス体の裏面側に電極を構成した静電シートを貼り付け、ガラス体表面に接触するだけで作用する静電スイッチで構成し、表示部９は、それぞれのバーナ４ａ，４ｂ，４ｃに対応して設けた液晶表示器を用いた第１の表示器９ａ，９ｂ，９ｃでバーナ４の動作状態をそれぞれ表示するとともに、バーナ４ａ，４ｂ，４ｃが設置されたバーナ設置領域と操作部８ａ，８ｂ，８ｃ及び表示器９ａ，９ｂ，９ｃが設けられた操作表示部設置領域とを区画する位置に設けた第２の表示器２４でバーナ４ａ，４ｂ，４ｃのどのバーナが運転しても表示し、バーナ設置領域が高温状態にあることを使用者に報知するようにして
いる。
【００３３】
そして、操作部８と表示部９は表示ケース１０に収納され、バーナ４からの輻射熱による影響を低減し、上面側はガラス体の天板３で覆われることで、バーナ４の火炎による熱的影響を軽減している。さらに、バーナ４の下方には燃料であるガスを供給するためのガス弁や流量調節弁で構成されたガス供給部２３が配設され、このガス供給部２３の動作を制御するための制御部２２が設けられている。そして、ガス供給部２３は操作部８からの操作信号に基づいて制御部２２から出力される所定の駆動信号により閉止及びガス流量を制御し、火力調節を行うようになっている。
【００３４】
このように、電気的信号を用いてバーナ４に供給するガス流量を任意に変更できる構成としたことで、ガス供給部２３を任意の場所に設置することが可能となり、操作部８の設置場所も制約を受けることがなくなる。よって、ガラス天板３の面に静電スイッチ等を用いて構成することが可能となり、操作性及び掃除性の優れた操作部構成を実現することができる。
【００３５】
ここで、ガラス天板３と排気蓋１４で構成する天板部２０について説明すると、コンロバーナ４ａ，４ｂの装着口３ａ，３ｂ及び操作部８，表示部９の設置面を有したガラス天板３は、後方端略中間部にコンロバーナ４ｃの装着口の一部を形成するための略半円状の切り欠き部を有した形状となっている。そして、このガラス天板３の下方を覆うように設けた金属製の天板保護部材１８に載置する。天板保護部材１８は、コンロバーナ４ａ，４ｂの装着口３ａ，３ｂ及び操作部８，表示部９の設置面及び排気蓋１４に形成されたコンロバーナ４ｃの装着口１５，排気口１０、換気口１２に対応する位置にそれぞれ開口孔１８ａ，１８ｂ，１８ｃ，１８ｄ，１８ｅ，１８ｆが設けられている。この孔位置に対応するようにガラス天板３を載置する。
【００３６】
そして、天板保護部材１８に載置したガラス天板３の後方に排気蓋１４を同様に開口孔位置を合わせて載置し、排気蓋１４と天板保護部材１８をビス等で締結する。このとき、ガラス天板３と排気蓋１４の接合部において、ガラス天板３の端面を覆うように排気蓋１４を接合し、ガラス天板３の位置決めを行うようにしている。そして、天板保護部材１８とガラス天板３及び排気蓋１４の周囲を略コの字状に成形した金属製枠体１９で挟み込むことにより、ガラス天板３と排気蓋１４を一体化して天板部２０を構成することができる。
【００３７】
この天板部２０の構成により、バーナ４の設置領域を全体的に器具１の後方側に移動することができるため、器具１の前方側に操作部８及び表示部９を設置するためのスペースを確保することができ、ガス調理器のように器具１の上面側で裸火による燃焼部を有する機器において、操作性を向上させる目的で操作部を器具上面に設置するための有効な構成を提供することができる。
【００３８】
以上のように本実施の形態においては、バーナ４へのガスの供給と遮断を行うガス供給部２３を電気信号で駆動する弁駆動手段を用いて構成することで、操作信号を入力する操作部８や表示部９は前記ガス供給部２３やその制御手段２２の設置位置に左右されることなく独立して自由な位置に設置することができ、バーナ４の火炎による熱的影響、操作性、視認性等を考慮し、天板３上の温度的に設置可能なバーナの熱影響が少ない天板３の上面手前側に配置することが可能になり、操作性、視認性、掃除性を向上することができる。
【００３９】
また、器具１上面の手前側に操作部８、表示部９及びコンロバーナ４の一部を配置するガラス天板３を設け、その後方側に排気口１０及び換気口１２を設けた排気蓋１４を配置
し、その排気蓋１４にコンロバーナ４ｃを装着する開口１５を設け、排気口１０と換気口１２に挟まれるように１つのコンロバーナ４ｃを設ける構成としているため、複数のバーナ４ａ，４ｂ，４ｃの設置領域を全体的に後方側に移動させることができ、天板３の大きさを変えることなく、ガラス天板３の手前側に操作部８や表示部９を配設するスペースを確保することができる。
【００４０】
また、排気蓋１４を天板保護部材１８に締結することでガラス天板３を挟み込むように支持し、排気蓋１４の固定を兼ねてガラス天板３を挟み込んで支持することができるため、ガラス天板３の端面補強を確保しつつ、デザイン性を高めるための構成の簡素化を図ることができる。
【００４１】
また、排気蓋１４に段押し加工を追加するだけで設けた段押し部１７により五徳受け部を構成することができ、別部材を用いる必要がないため、構成の簡素化を図ることができる。
【００４２】
また、排気口１０と換気口１２の設置領域にコンロバーナ４ｃの一部が配置されるように構成しているため、器具１上面におけるバーナの設置領域を全体的に後方に移動させることができ、天板３の大きさを変えることなく、ガラス天板３の手前側に操作部８や表示部９を配設するスペースを確保することができる。
【００４３】
また、排気口１０と換気口１２には、その開口を覆うように着脱自在な排気口カバー１１及び換気口カバー１３をそれぞれ載置しているため、異物の侵入を防止し、グリル部からの排気ガスを均一に排出することができる。
【００４４】
また、操作部に静電スイッチを用いることによりガラス天板上面に操作つまみ等が張り出すことがなく、操作部を含む天板全面をガラス体で覆うことができるため、操作性、デザイン性及び掃除性を飛躍的に向上することができるとともに、表示ケースに収納することでバーナからの熱的影響を軽減することができる。
【００４５】
さらに、それぞれのコンロバーナに対応した第１の表示器を設けると共に、どのコンロバーナが運転しても表示動作を開始する第２の表示器を設けているため、コンロバーナが燃焼を開始しバーナ設置領域が高温状態になったとき、その状態を表示することが可能となり、使用者への注意喚起を確実に促すことができる。
【産業上の利用可能性】
【００４６】
以上のように本発明は、ガラス天板上の左右に２つのコンロバーナを配置し、その上部に五徳１６を載置して大カロリー用のコンロ部を構成すると共に、その略中間部の後方側にガラス天板の設置領域と排気口の設置領域を跨ぐよう小カロリーのコンロバーナを配置し、その上部に五徳１６を載置して小カロリー用のコンロ部を構成することで、器具上面におけるバーナの設置領域を全体的に後方に移動させることができ、天板の大きさを変えることなく、ガラス天板の手前側に操作部や表示部を配設するスペースを確保することができるため、天面操作器具のバーナ配設構成全般に適用できる。
【図面の簡単な説明】
【００４７】
【図１】本発明の実施の形態1におけるガス調理器の使用形態を示す図
【図２】同ガス調理器の概略断面図
【図３】同ガス調理器概略上面図
【図４】同ガス調理器の天板部の分解図
【符号の説明】
【００４８】
３  ガラス天板
４  バーナ
５  グリル部
８  操作部
９  表示部
１０  排気口
１２  換気口
１４  排気蓋
１８  天板保護部材
１９  枠体
２１  ガス供給部（ガス流量制御装置）
２２  制御部
【図１】
0004650217.tif 000002
【図２】
0004650217.tif 000003
【図３】
0004650217.tif 000004
【図４】
0004650217.tif 000005